(57)【要約】【課題】鼻骨近傍での声帯振動に伴う鼻腔音を効率よく伝播し、音声認識に必要な鼻腔音の感度を向上する。【解決手段】骨伝導マイク１１において、圧電素子を有し、声帯の振動が伝播した鼻腔音を拾うセンサ部１５と、左右の上外側鼻軟骨を覆う皮膚の少なくとも一部分に接する逆Ｖ字形状となった本体部１９の裾部に、頬骨体部を覆う皮膚の少なくとも一部分に接する頬側延長部２１を有し、センサ部１５を皮膚上に押圧して保持する保持部１７と、を設けた。【選択図】図１
2020036210.tif 000002
【特許請求の範囲】
【請求項１】
圧電素子を有し、声帯の振動が伝播した鼻腔音を拾うセンサ部と、
左右の上外側鼻軟骨を覆う皮膚の少なくとも一部分に接する逆Ｖ字形状の本体部の裾部に、頬骨体部を覆う皮膚の少なくとも一部分に接する頬側延長部を有し、前記センサ部を皮膚上に押圧して保持する保持部と、を備える、
骨伝導マイク。
【請求項２】
前記保持部は、鼻中隔軟骨を境に左右対称形状に形成される、
請求項１に記載の骨伝導マイク。
【請求項３】
前記保持部は、透明材料により形成され、
前記センサ部からの信号を伝送する電線部が透明電極により、前記保持部に形成される、
請求項１または２に記載の骨伝導マイク。
【請求項４】
前記保持部は、前記頬側延長部に接続して頬骨弓部上の頬に到達する装着部を有する、
請求項１〜３のうちいずれか一項に記載の骨伝導マイク。
【請求項５】
前記装着部は、弾性を有して少なくとも一方の頬骨弓部上の頬に配置され、弾性復元力により鼻に掛けられた前記本体部とで鼻と前記一方の頬とを挟持する、
請求項４に記載の骨伝導マイク。
【請求項６】
前記装着部は、外耳道の入口に配置されて環境音を通過させる略環状の支持部を、前記頬側延長部の反対側の端に有する、
請求項４に記載の骨伝導マイク。
【請求項７】
前記保持部は、装着者が起立した姿勢で、鉛直方向に直交する平断面の座標面において、装着者側に近づく方向をマイナス方向、装着者から遠ざかる方向をプラス方向としたときに、極大値を少なくとも３箇所有する形状で形成され、
前記センサ部が、中央の極大値と、この中央の極大値を挟む２つの極大値のうち少なくともいずれか一方の極大値との間に配置される、
請求項１〜６のうちいずれか一項に記載の骨伝導マイク。
【請求項８】
前記頬側延長部は、前記本体部よりも小さい複数の山部を有して波形に形成される、
請求項１〜７のうちいずれか一項に記載の骨伝導マイク。
【請求項９】
前記本体部は、鼻を左右から挟む弾性復元力を有する、
請求項１〜８のうちいずれか一項に記載の骨伝導マイク。
【発明の詳細な説明】
【技術分野】
【０００１】
本開示は、骨伝導マイクに関する。
【背景技術】
【０００２】
特許文献１には、より聞きやすい音声を採取できるマイクロフォンが提案されている。このマイクロフォンは、鼻軟骨上の皮膚表面など、軟骨組織上の皮膚表面に装着される集音部を含む。集音部は、発声器官の運動に伴う共振フィルタ特性変化により調音された、声帯の規則振動を伴わない、外部からは非可聴な呼吸音の体内軟部組織を伝導する振動音である非可聴つぶやき音を採取する。また、このマイクロフォンは、鼻軟骨上の皮膚表面に沿った形状を有し、皮膚表面に集音部が接触している状態を維持する支持部と、左右の耳介それぞれに掛けるための一対の耳掛け部と、一対の耳掛け部と支持部との間を接続するアーム部とを有する。
【先行技術文献】
【特許文献】
【０００３】
【特許文献１】特開２００６−２２９３０１号公報
【発明の概要】
【発明が解決しようとする課題】
【０００４】
本開示は、鼻骨近傍での声帯振動に伴う鼻腔音を効率よく伝播し、音声認識に必要な鼻腔音の感度を向上する骨伝導マイクを提供することを目的とする。
【課題を解決するための手段】
【０００５】
本開示は、圧電素子を有し声帯の振動が伝播した鼻腔音を拾うセンサ部と、左右の上外側鼻軟骨を覆う皮膚の少なくとも一部分に接する逆Ｖ字形状となった本体部の裾部に、頬骨体部を覆う皮膚の少なくとも一部分に接する頬側延長部を連続して有し、前記センサ部を皮膚上に押圧して保持する保持部と、を備える、骨伝導マイクを提供する。
【発明の効果】
【０００６】
本開示によれば、鼻骨近傍での声帯振動に伴う鼻腔音を効率よく伝播でき、音声認識に必要な鼻腔音の感度を向上できる。
【図面の簡単な説明】
【０００７】
【図１】実施の形態１に係る骨伝導マイクが装着者に装着された状態の斜視図
【図２】図１に示した骨伝導マイクの保持部を頭部の平断面とともに表した模式図
【図３】装着部が弾性を有する骨伝導マイクの構成例を表す模式図
【図４】頬側延長部が複数の山部を有する骨伝導マイクの構成例を表す模式図
【図５】本体部が弾性復元力を有する保持部の収納時の模式図
【図６】本体部が弾性復元力を有する保持部の装着時の模式図
【図７】比較例に係る環状のゴムを用いた弾性バンド型の肉伝導マイクロフォンを頭部の平断面とともに表した模式図
【図８】骨伝導ヘッドセットが装着者に装着された状態の斜視図
【図９】図８の側面図
【図１０】図８の正面図
【図１１】第１層が柔らかく第２層が硬い保持部を備えた骨伝導ヘッドセットの模式図
【図１２】第１層が硬く第２層が柔らかい保持部を備えた骨伝導ヘッドセットの模式図
【図１３】第３層を備えた骨伝導ヘッドセットの模式図
【発明を実施するための形態】
【０００８】
以下、適宜図面を参照しながら、本開示に係る骨伝導マイクの構成および作用を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。なお、添付図面及び以下の説明は、当業者が本開示を十分に理解するために提供されるものであり、これらにより特許請求の範囲に記載の主題を限定することは意図されていない。
【０００９】
（本開示に係る骨伝導マイクの構成に関わる経緯）
声帯振動に伴う鼻骨近傍での音を音声認識のための音源として拾う骨伝導マイクが知られている。このような骨伝導マイクは、例えばメガネの鼻あてと同等な形状を有するために、接地不良あるいは感度不足が起こることがある。また、特許文献１に開示されている環状のゴムを用いた弾性バンド型の肉伝導マイクロフォンは、鼻軟骨上の皮膚表面に肉伝導マイクロフォンを接触している状態に維持できるが、顔の曲面に沿わず、空隙ができる反面、不要な部分における肌への密着も増える。そのため、音声認識に必要な感度を得にくいとともに、肌との擦れによるノイズの影響を受けやすいという課題があった。
【００１０】
本開示は、骨伝導マイクと、骨伝導ヘッドセットと、に好適に用いることができる。骨伝導マイクは、骨伝導スピーカを備えることで骨伝導ヘッドセットを構成する。以下の実施の形態１では、骨伝導マイク、骨伝導ヘッドセットについて順次説明する。
【００１１】
（骨伝導マイクの構成等）
先ず、鼻骨近傍での声帯振動に伴う鼻腔音を効率よく伝播し、音声認識に必要な鼻腔音の感度を向上する骨伝導マイクの例について説明する。
【００１２】
図１は、本実施の形態に係る骨伝導マイク１１が装着者１３に装着された状態の斜視図である。実施の形態１に係る骨伝導マイク１１は、センサ部１５と、保持部１７と、を主要な構成として有する。
【００１３】
センサ部１５は、声帯の振動が伝播した鼻腔音を拾う圧電素子を有する。この圧電素子は、拾った鼻腔音に伴う振動により受けた機械的応力から電位を発生させる。この現象は、圧電効果と称される。骨伝導マイク１１は、圧電効果により得られた電位を音声信号に変換して出力する。
【００１４】
保持部１７は、本体部１９と、頬側延長部２１と、有する。本体部１９は、左右の上外側鼻軟骨を覆う皮膚の少なくとも一部分に接する逆Ｖ字形状となる。つまり、本体部１９は、合掌屋根状となって鼻に被さる。本体部１９は、その頂部を挟む両側の裾部のそれぞれに、頬側延長部２１が連続する。それぞれの頬側延長部２１は、頬骨体部を覆う装着者の皮膚の少なくとも一部分に接する。本体部１９と頬側延長部２１とにより構成される保持部１７は、センサ部１５を皮膚上に押圧して保持する。
【００１５】
保持部１７は、帯状に形成した複数のシート材を積層して構成できる。後述するように、保持部１７は、皮膚表面から、例えば第１層２３と第２層２５との２つの層を積層して構成できる。この場合、センサ部１５は、第１層２３と第２層２５との間に挟持できる。
【００１６】
骨伝導マイク１１は、保持部１７を、例えば透明材料により形成できる。保持部１７には、センサ部１５からの信号を伝送する電線部２７（図２参照）が配索される。この場合、電線部２７は、例えば透明電極により形成する。従って、骨伝導マイク１１は、保持部１７を透視して皮膚表面の色を把握することが可能となる。これにより、骨伝導マイク１１は、例えば皮膚表面の色を検出条件とする認証システムが作動するエリアへの装着を可能にできる。
【００１７】
骨伝導マイク１１では、保持部１７が、装着部２９を有する。装着部２９は、頬側延長部２１に接続して、頬骨弓部上の頬に到達する長さを有する。実施の形態１において、装着部２９は、例えば頬側延長部２１から外耳道の入口近傍まで延在する帯状で形成される。装着部２９は、上述した第１層２３または第２層２５と同一の素材とすることができる。頬側延長部２１と装着部２９とは、同一素材から切り出して形成されてもよく、接着材あるいは熱溶着により別体を接合してもよい。装着部２９の延在方向に直交する幅は、保持部１７の同方向の幅より小さいことが外観上好ましい。
【００１８】
装着部２９は、頬側延長部２１の反対側の端に、環状の支持部３１を有してよい。この支持部３１は、例えば軟質樹脂材により形成される。支持部３１は、外耳道に挿入されてもよく、外耳道に挿入せずに、入口の近傍に引っ掛ける程度の装着であってもよい。支持部３１は、貫通孔を有した環状に形成されていることにより、外耳道への環境音の通過を可能とする。
【００１９】
なお、支持部３１は、上述した環状の形状を有する例に限らず、例えば、貫通孔を有した四角形状でもよい。つまり、支持部３１は、略環状の一例として、環状、四角形状、三角形状、あるいはその他の形状を有してもよい。貫通孔も同様に、環状、四角形状、三角形状のいずれの形状を有してもよく、支持部３１と貫通孔とのそれぞれの形状がともに一致しても、一致しなくてもよい。また、貫通孔が設けられず、例えば、Ｕ字型の支持部として形成されてもよい。例えば、針金の端部が円弧上に曲げられたものを支持部としてもよい。
【００２０】
図２は、図１に示した骨伝導マイク１１の保持部１７を頭部の平断面とともに表した模式図である。骨伝導マイク１１は、保持部１７を、鼻中隔軟骨を境に左右対称形状に形成することができる。なお、骨伝導マイク１１は、鼻中隔軟骨を境に左右対称に形成しなくてもよい。この場合、骨伝導マイク１１は、逆Ｖ字形状の本体部１９の一方の裾部に、頬側延長部２１、装着部２９を連続させた片掛け型とすることができる。実施の形態１に係る骨伝導マイク１１は、保持部１７が鼻中隔軟骨を境に左右対称形状で形成される。
【００２１】
保持部１７は、図２に示すように、３つの山部を有する形状とすることができる。この場合、保持部１７は、装着者１３が起立した姿勢で、鉛直方向に直交する平断面の座標面において、装着者側に近づく方向をマイナス方向、装着者１３から遠ざかる方向をプラス方向としたときに、いわゆる極大値３３を少なくとも３箇所有する形状で形成される。センサ部１５は、中央の極大値３３と、この中央の極大値３３を挟む２つの極大値３３のうち少なくともいずれか一方の極大値３３との間Ｗに配置される。中央の極大値３３と、この中央の極大値３３を挟む２つの極大値３３との間Ｗには、鼻腔音を最も効果的に拾いやすいスイートスポットが存在する。中央の極大値３３と、この中央の極大値３３を挟む２つの極大値３３との間Ｗにセンサ部１５を配置することにより、センサ部１５の位置をスイートスポットに一致させやすくできる。
【００２２】
図３は、装着部２９が弾性を有する骨伝導マイク１１の構成例を表す模式図である。装着部２９は、弾性を有して少なくとも一方の頬骨弓部上の頬に配置される。もちろん、弾性を有する装着部２９は、図３に示すように、本体部１９の両側に連続する左右の頬側延長部２１のそれぞれに接続されてもよい。一対の装着部２９は、終端同士が接近して内向きに曲がる眼鏡のつる状に形成できる。装着部２９は、片掛け型の場合には、弾性復元力により鼻に掛けられた本体部１９とで鼻と一方の頬とを挟持する。装着部２９は、一対の場合には、左右の頬側面を挟む力を有する。
【００２３】
図４は、頬側延長部２１が複数の山部を有する骨伝導マイク１１の構成例を表す模式図である。頬側延長部２１は、本体部１９よりも小さい複数の山部を有して波形に形成されてよい。この場合の複数の山部は、本体部１９に比べ、充分に小さい微小な山部で形成される。山部は、皮膚表面に対向する側の面に、頬側延長部２１の長手方向に直交する幅方向で延在し、複数の平行な溝３５を形成する。これにより、微小な山部は、皮膚表面との間に、僅かな通気用の空間を形成することができる。
【００２４】
図５は、本体部１９が弾性復元力を有する保持部１７の収納時の模式図である。骨伝導マイク１１は、本体部１９が、鼻を左右から挟む弾性復元力を有するように構成してよい。この場合、骨伝導マイク１１の収納時（言い換えると、非装着時）における本体部１９の頂角αは、鼻の稜線と鼻左右の裾部とをむすぶ二つの線分の成す角度β（図６参照）よりも小さく設定される。本体部１９は、頂角αが角度βとなるように裾部を開くことにより、一対の裾部が接近する方向の弾性復元力が生じる。
【００２５】
図６は、本体部１９が弾性復元力を有する保持部１７の装着時の模式図である。保持部１７は、装着時、本体部１９の頂角αが角度βとなるように裾部を拡げて鼻に被せられる。通常状態から左右の裾部が拡げられて鼻に被せられた本体部１９は、弾性復元力により、皮膚表面から左右の上外側鼻軟骨を挟持して、単独での鼻への保持が可能となる。また、保持部１７が装着者の肌に接する面を略粘着性（例えば、微粘着性〜高粘着性）を有する素材でコーティングすることで、保持部１７による保持力がより一層高めることができる。
【００２６】
次に、上記した実施の形態１に係る骨伝導マイク１１の作用を説明する。
【００２７】
実施の形態に係る骨伝導マイク１１は、圧電素子を有し、声帯の振動が伝播した鼻腔音を拾うセンサ部１５を有する。骨伝導マイク１１は、左右の上外側鼻軟骨を覆う皮膚の少なくとも一部分に接する逆Ｖ字形状の本体部１９の裾部に、頬骨体部を覆う皮膚の少なくとも一部分に接する頬側延長部２１を有し、センサ部１５を皮膚上に押圧して保持する保持部１７を有する。
【００２８】
実施の形態１に係る骨伝導マイク１１では、保持部１７が、センサ部１５を保持する。保持部１７により保持されたセンサ部１５は、骨伝導マイク１１の装着者の皮膚上に押圧される。通常、音声は、声帯振動が気道付近から口に伝搬する過程で、口腔・鼻腔での共鳴で変化し、言語として認識される。皮膚上に押圧されたセンサ部１５は、声帯の振動が伝播した鼻腔の音（つまり、鼻腔音）を圧電素子により拾う。圧電素子は、拾った鼻腔音に伴う振動により受けた機械的応力から電位を発生させる（圧電効果）。骨伝導マイク１１は、圧電効果により得られた電位を音声信号に変換して出力する。この際、センサ部１５は、保持部１７に伝播する振動も拾うことになる。
【００２９】
保持部１７は、鼻を覆う逆Ｖ字形状の本体部１９を有している。この本体部１９の裾部は、骨伝導マイク１１の装着者の頬に達する。頬に達した裾部は、頬側延長部２１へと連続する。頬側延長部２１は、頬骨体部を覆う皮膚の少なくとも一部分に接する。頬骨は、前方部分の頬骨体部と、側方部分の頬骨弓部とに分けられる。この前方へ張り出す頬骨体部と、側方へ張り出す頬骨弓部との境は、外方へ突出する部分となる。この外方へ突出する部分を、本明細書中では、頬骨体部と頬骨弓部との間の「頬突出部」と称す。また、頬骨体部を覆う皮膚表面を「頬正面」、頬骨弓部を覆う皮膚表面を「頬側面」と称す。
【００３０】
保持部１７は、本体部１９が鼻を覆い、本体部１９に接続する頬側延長部２１が、頬正面に沿う。頬側延長部２１は、頬突出部に至る直前で終端となり、頬側面には延在しない。鼻腔で共鳴する鼻腔音に伴う振動は、上外側鼻軟骨に伝播し、鼻に接続する頬正面の一部分（凹状面３７）にも伝播する。
【００３１】
図７は、比較例に係る環状のゴム３９を用いた弾性バンド型の肉伝導マイクロフォンを頭部の平断面とともに表した模式図である。環状のゴム３９を用いた弾性バンド型の特許文献１の肉伝導マイクロフォンは、鼻軟骨上の皮膚表面に肉伝導マイクロフォンを接触している状態に維持できるが、顔の曲面（凹状面３７）に沿わず、鼻の稜線と頬突出部とを通る線分と、凹状面３７との間に空隙４１ができてしまう。
【００３２】
これに対し、骨伝導マイク１１では、保持部１７の本体部１９が鼻を覆い、その裾部が頬正面に沿う頬側延長部２１に連続するので、保持部１７が凹状面３７に密接して沿うことになり、保持部１７と頬正面との間に図７に示したように空隙４１が生じない。その結果、凹状面３７の鼻腔音に伴う振動も保持部１７に伝播し、センサ部１５の感度を向上させることができる。
【００３３】
従って、実施の形態１に係る骨伝導マイク１１によれば、鼻骨近傍での声帯振動に伴う鼻腔音を効率よく伝播させて、音声認識に必要な鼻腔音の感度を向上させることができる。
【００３４】
また、骨伝導マイク１１では、保持部１７は、鼻中隔軟骨を境に左右対称形状に形成される。
【００３５】
この骨伝導マイク１１では、保持部１７は、左右の上外側鼻軟骨を皮膚上から覆う逆Ｖ字形状の本体部１９と、この本体部１９の左右両側の裾部から頬骨体部に沿って連続する頬側延長部２１と、を有する。本体部１９は、鼻の稜線を頂部とした逆Ｖ字形状となる。頬側延長部２１は、この本体部１９の左右の裾部から同一長で頬正面に沿って延在する。
【００３６】
保持部１７は、逆Ｖ字形状の本体部１９が鼻に被さり、その裾部が頬正面に沿う頬側延長部２１に連続する。裾部と頬側延長部２１との接続部近傍は、凹状面３７に密接して沿うことになる。これにより、保持部１７と頬正面との間には、空隙４１が生じなくなる。その結果、左右の凹状面３７の鼻腔音に伴う振動も保持部１７に効率よく伝播し、センサ部１５の感度をさらに向上させることができる。
【００３７】
また、骨伝導マイク１１では、保持部１７は、透明材料により形成され、センサ部１５からの信号を伝送する電線部２７が透明電極により保持部１７に形成される。
【００３８】
この骨伝導マイク１１では、保持部１７が透明となることにより、皮膚表面の色を検出しやすくできる。これにより、装着者１３が、画像処理装置により認識不能となることを回避できる。また、顔面の隠蔽部が少なくなるので、装着者１３の表情を読み取りやすくできる。さらに、骨伝導マイク１１は、保持部１７が透明となることにより、装着時の違和感を低減できる。
【００３９】
また、骨伝導マイク１１は、保持部１７が、頬側延長部２１に接続して頬骨弓部上の頬に到達する装着部２９を有する。
【００４０】
この骨伝導マイク１１では、保持部１７の長手方向の左右端に、装着部２９が接続される。装着部２９は、左右の頬側面を外側から挟むことにより、保持部１７を鼻及び頬正面に、より確実に密着させて保持する。装着部２９は、例えばプラスチック等により単一層で形成することができる。
【００４１】
なお、保持部１７は、保持部１７における裾部の片側のみに頬側延長部２１を連続させた片掛け型としてもよい。この場合、装着部２９は、片側に連続した頬側延長部２１に接続される。この片掛け型の骨伝導マイク１１では、保持部１７の本体部１９が鼻に掛けられ、装着部２９が頬側面に掛けられ、鼻と頬側面とを、保持部１７及び装着部２９で挟んで、保持状態を維持できる。
【００４２】
また、骨伝導マイク１１では、装着部２９は、弾性を有して少なくとも一方の頬骨弓部上の頬に配置され、弾性復元力により鼻に掛けられた本体部１９とで鼻と一方の頬とを挟持してもよい。
【００４３】
この骨伝導マイク１１では、装着部２９が弾性を有するので、弾性力に抗して装着部２９を拡げ、その際に生じた装着部２９の弾性復元力を保持力に寄与させることができる。これにより、左右の頬側面を一対の装着部２９により外側から挟み、保持部１７を鼻及び頬正面に、より一層確実に密着させて保持することができる。
【００４４】
また、骨伝導マイク１１では、装着部２９は、外耳道の入口に配置されて環境音を通過させる環状の支持部３１を、頬側延長部２１の反対側の端に有してよい。
【００４５】
この骨伝導マイク１１では、装着部２９に、環状の支持部３１が設けられる。この環状の支持部３１は、外耳道の入口に配置される。装着部２９は、延長端に設けられた支持部３１が外耳道の入口に配置されることにより、支持部３１が引っ掛かった状態となり、特に装着部２９に作用する重力方向の力を支持する。これにより、装着部２９は、より一層脱落しにくくなり、保持部１７をさらに確実に支持することができる。
【００４６】
また、保持部１７は、装着者１３が起立した姿勢で、鉛直方向に直交する平断面の座標面において、装着者側に近づく方向をマイナス方向、装着者１３から遠ざかる方向をプラス方向としたときに、極大値３３を少なくとも３箇所有する形状で形成され、センサ部１５が、中央の極大値３３と、この中央の極大値３３を挟む２つの極大値３３のうち少なくともいずれか一方の極大値３３との間に配置されるように構成されてもよい。
【００４７】
この骨伝導マイク１１では、保持部１７が、頬側延長部２１にも、逆Ｖ字形状の山部を有する。ここで、保持部１７を、装着者１３が起立した姿勢で、鉛直方向に直交する平断面の座標面で考える。この座標面は、図２に示したように、左右の頬突出部を通る直線を横軸、この横軸に直交して鼻の稜線部分を通る直線を縦軸とする。縦軸は、装着者側に近づく方向をマイナス方向、装着者１３から遠ざかる方向をプラス方向とする。
【００４８】
保持部１７は、この座標面において、極大値３３を少なくとも３箇所有する形状とすることができる。センサ部１５は、中央の極大値３３と、この中央の極大値３３を挟む２つの極大値３３のうち少なくともいずれか一方の極大値３３との間Ｗに配置される。この場合、中央の極大値３３を挟む左右の極小値４３に相当する頬正面に向く凸状部分が、鼻左右の凹状面３７に空隙４１を埋めて接することになる。その結果、上記したように、凹状面３７からの鼻腔音に伴う振動も保持部１７に伝播させることができ、センサ部１５の感度を向上させることができる。
【００４９】
これに加え、上記の断面形状において、３つの山部を持つ構成では、センサ部１５が、中央の極大値３３と、中央の極大値３３を挟む２つの極大値３３のうち少なくともいずれか一方の極大値３３との間に配置される。保持部１７は、３つの山部を持つことで、両端の山部との間に伝わる振動も、中央の山部に伝播し、感度が向上する。また、鼻を覆う山部の形状がずれを防ぎ、擦過音が混入しない。このため、音声認識に適した鼻腔音用の骨伝導マイク１１が提供できる。また、中央の極大値３３を挟む左右の極大値３３は、左右の頬突出部を覆う。これにより、保持部１７は、さらにずれにくくなり、擦過音をより一層生じにくくできる。
【００５０】
また、骨伝導マイク１１では、頬側延長部２１は、本体部１９よりも小さい複数の山部を有して波形に形成されてもよい。
【００５１】
この骨伝導マイク１１では、頬側延長部２１に微小な複数の山部が形成されることにより、頬側延長部２１が波形に形成される。これにより、軟質材料（例えばゲル素材）により皮膚表面との密着性をたかめる場合においても、適度な通気性を確保することができる。頬側延長部２１は、通気性を確保することにより、装着時の発汗等による不快感を低減することができる。
【００５２】
また、骨伝導マイク１１では、本体部１９は、鼻を左右から挟む弾性復元力を有する。
【００５３】
この骨伝導マイク１１では、逆Ｖ字形状に形成される本体部１９は、左右の裾部が互いに接近離反する方向に弾性変形する。通常状態から左右の裾部が拡げられて鼻に被せられた本体部１９は、弾性復元力により、皮膚表面から左右の上外側鼻軟骨を挟持して、単独での鼻への保持が可能となる。勿論、保持部１７は、この本体部１９の独立した保持力と、装着部２９による保持力とを、協動させて保持するものであってもよい。
【００５４】
（本開示に係る骨伝導ヘッドセットの構成に関わる経緯）
声帯振動に伴う鼻骨近傍での音を音声認識のための音源として拾う骨伝導マイクと、音声信号を機械的振動に変換してその振動を装着者の皮膚、頭蓋骨、耳小骨、蝸牛を経由して伝播させ、聴覚神経に伝える骨伝導スピーカとを有する骨伝導ヘッドセットが知られている。このような骨伝導ヘッドセットは、骨伝導マイクと骨伝導スピーカとをともに備えて装着される。このため、骨伝導スピーカからの振動を骨伝導マイクが拾って、ハウリングを生じさせる課題があった。また、骨伝導ヘッドセットは、骨伝導マイクが顔の表面と擦れる音を拾うと、音質を劣化させる課題があった。
【００５５】
（骨伝導ヘッドセットの構成等）
次に、骨伝導スピーカからの振動を骨伝導マイクが拾うことによるハウリングを抑制できるとともに、骨伝導マイクと装着者の顔の擦れにより発生する擦過音を抑制する骨伝導ヘッドセットについて説明する。
【００５６】
図８は、骨伝導ヘッドセット４５が装着者１３に装着された状態の斜視図である。なお、以下の骨伝導ヘッドセット４５の説明において、図１に示した構成と同一の構成には、同一の符号を付し重複する説明は省略する。
【００５７】
実施の形態１に係る骨伝導ヘッドセット４５は、センサ部１５と、保持部１７と、装着部２９と、骨伝導スピーカ４７と、を主要な構成として有する。
【００５８】
骨伝導ヘッドセット４５は、上述したように、骨伝導マイク１１に、骨伝導スピーカ４７を備えることにより構成される。従って、骨伝導マイク１１と骨伝導ヘッドセット４５とは、骨伝導スピーカ４７を除いた構成を、同一とすることができる。
【００５９】
骨伝導ヘッドセット４５のセンサ部１５は、骨伝導マイク１１で用いられるセンサ部１５と同一となる。
【００６０】
骨伝導ヘッドセット４５の保持部１７は、骨伝導マイク１１で説明した保持部１７と同一である。従って、保持部１７は、左右の上外側鼻軟骨を覆う皮膚の少なくとも一部分に接する逆Ｖ字形状となった本体部１９の裾部に、頬骨体部を覆う皮膚の少なくとも一部分に接する頬側延長部２１を連続して有する。
【００６１】
ここで、保持部１７の構成についてさらに詳細に説明する。
【００６２】
保持部１７は、硬さの異なる例えば第１層２３と第２層２５とを皮膚より積層して形成することができる。柔らかい層を形成する素材には、軟質材料（例えばゲル素材）を用いることができる。硬い層を形成する素材には、樹脂シート（例えばポリカーボネート等のプラスチック）を用いることができる。保持部１７の積層数は、２層に限定されない。積層構造となった保持部１７は、センサ部１５を皮膚上に押圧して保持する。
【００６３】
ゲル素材からなる層は、その一部分またはその全てを省略してもよい。このようなゲル素材の省略は、皮膚表面が柔らかく、ゲル素材を用いる必要がない場合の構成として有効となる。一方、ポリカーボネート等のプラスチックからなる層は、保持部１７や装着部２９の骨材となるため省略されない。
【００６４】
装着部２９は、骨伝導マイク１１の場合と同様に、保持部１７に接続して、頬骨弓部上の頬に到達する。
【００６５】
骨伝導スピーカ４７は、装着部２９に設けられ、音声信号を機械的振動に変換してその振動を装着者１３の皮膚、頭蓋骨を経由して伝播させ、聴覚神経に伝える。即ち、通常のスピーカは空気の振動で伝えられた音（気導音）を聴くのに対し、骨伝導スピーカ４７は骨の振動で伝えられた音（骨導音）を聴く。骨伝導スピーカ４７は、ゲル素材等からなる円形のベースシート部４９を介して装着部２９に取り付けられる。
【００６６】
図９は、図８の側面図である。骨伝導ヘッドセット４５は、センサ部１５と骨伝導スピーカ４７との距離Ｌ１が、骨伝導スピーカ４７と外耳道の入口との距離Ｌ２よりも大きい（Ｌ１＞Ｌ２）。つまり、骨伝導スピーカ４７は、骨伝導マイク１１よりも、外耳道の入口に近い位置に配置されている。
【００６７】
図１０は、図８の正面図である。骨伝導スピーカ４７は、鼻を境に左右対称位置に、一対を設けることができる。骨伝導ヘッドセット４５は、一対の骨伝導マイク１１と、一対の骨伝導スピーカ４７とを左右対称に備えることで、鼻腔音の取得感度を高め、骨伝導スピーカ４７からの振動を聴覚神経へ伝わりやすくできる。
【００６８】
骨伝導スピーカ４７により骨伝導で伝わる音声は、外部雑音の影響をほとんど受けない。即ち、骨伝導スピーカ４７を備える骨伝導ヘッドセット４５は、外部の騒音を拾いにくいため、耐騒音性を高めることができる。また、骨伝導マイク１１を備える骨伝導ヘッドセット４５は、口元が完全にオープンとなる。これにより、骨伝導ヘッドセット４５は、例えば防塵・防毒マスク等を併用しても通常に通信が可能となる。
【００６９】
図１１は、第１層２３が柔らかく第２層２５が硬い保持部１７を備えた骨伝導ヘッドセット４５の模式図である。保持部１７は、皮膚に接する側の第１層２３が柔らかく、第２層２５が第１層２３よりも硬い構成とすることができる。この場合、第１層２３には、ゲル素材を用いることができる。第２層２５には、ポリカーボネート等のプラスチックを用いることができる。
【００７０】
図１２は、第１層２３が硬く第２層２５が柔らかい保持部１７を備えた骨伝導ヘッドセット４５の模式図である。また、保持部１７は、皮膚に接する側の第１層２３が硬く、第２層２５が第１層２３よりも柔らかく構成されてもよい。この場合、第２層２５には、ポリカーボネート等のプラスチックを用いることができる。第２層２５には、ゲル素材を用いることができる。
【００７１】
図１３は、第３層５１を備えた骨伝導ヘッドセット４５の模式図である。さらに、保持部１７は、第２層２５を挟んで第１層２３の反対側に、第２層２５よりも柔らかい第３層５１が積層されてもよい。この場合、第３層５１には、第１層２３と同様のゲル素材を用いることができる。
【００７２】
次に、上記した実施の形態１に係る骨伝導ヘッドセット４５の作用を説明する。
【００７３】
実施の形態１に係る骨伝導ヘッドセット４５は、圧電素子を有し声帯の振動が伝播した鼻腔音を拾うセンサ部１５を有する。なお、センサ部１５は、例えば骨伝導ヘッドセット４５において少なくとも擦過音が装着者の耳に入ることが低減されればよい点で省略されてもよい。骨伝導ヘッドセット４５は、硬さの異なる第１層２３と第２層２５とが皮膚より積層して形成され、センサ部１５を皮膚上に押圧して保持する保持部１７を有する。骨伝導ヘッドセット４５は、保持部１７に接続して頬骨弓部上の頬に到達する装着部２９を有する。骨伝導ヘッドセット４５は、装着部２９に設けられ、音声信号を機械的振動に変換してその振動を装着者１３の皮膚、頭蓋骨を経由して伝播させ、聴覚神経に伝える骨伝導スピーカ４７を有する。
【００７４】
実施の形態１に係る骨伝導ヘッドセット４５では、保持部１７が、第１層２３と第２層２５とからなる。保持部１７は、左右端が、左右の頬突出部に近接する横長の帯状に形成される。帯状の第１層２３と第２層２５とは、同一外形状で一つの輪郭を共有して重ねられてもよい。また、第１層２３と第２層２５は、いずれか一方が大きく、幅方向にずれて（はみ出して）重ねられてもよい。但し、いずれの場合においても、第１層２３と第２層２５とは、密着した積層構造となる。これは、保持しているセンサ部１５に、保持部１７に伝わる鼻腔音に伴う振動を効率よく伝播させるためである。
【００７５】
センサ部１５は、第１層２３と第２層２５との間に挟持することができる。なお、センサ部１５の保持位置は、これに限定されない。センサ部１５は、保持部１７の厚み方向の最も皮膚側に位置して、直接皮膚表面に密接してもよい。第１層２３と第２層２５とは、異なる硬さを有する。保持部１７は、例えば皮膚表面に接する第１層２３を柔らかく、第１層２３を挟み皮膚表面と反対側の第２層２５を第１層２３よりも硬くすることができる。また、保持部１７は、上記とは逆に、例えば皮膚表面に接する第１層２３を硬く、第１層２３を挟み皮膚表面と反対側の第２層２５を第１層２３よりも柔らかくしてもよい。
【００７６】
装着部２９には、骨伝導スピーカ４７が設けられる。装着部２９は、頬側面で、頬骨弓部にほぼ沿って位置する。骨伝導スピーカ４７は、音声信号を機械的振動に変換してその振動を装着者１３の皮膚、頬骨弓部、頭蓋骨を経由して伝播させ、聴覚神経に伝える。
【００７７】
ここで、骨伝導スピーカ４７は、ゲル素材等からなるベースシート部４９を介して装着部２９に取り付けられる。ベースシート部４９は、骨伝導スピーカ４７からの振動が、装着部２９に直接伝播するのを抑制する。これにより、骨伝導スピーカ４７からの振動が、装着部２９、保持部１７を介して骨伝導マイク１１に伝播することによるハウリングの発生が抑制されている。
【００７８】
また、骨伝導ヘッドセット４５は、中央にセンサ部１５を、両端に骨伝導スピーカ４７を搭載し、透明な電線部２７で接続する。保持部１７は、ポリカーボネート等のプラスチックとゲル素材とからなる透明薄板を用いて３山形状に構成できる。このように構成される骨伝導ヘッドセット４５によれば、薄板が目立たないため、違和感を与えず、かつ装着者１３の顔の表面に沿って保持部１７が変形するのでフィットしやすくなり、良好な装着感が得られるようになる。
【００７９】
また、骨伝導ヘッドセット４５では、保持部１７は、皮膚に接する側の第１層２３が柔らかく、第２層２５が第１層２３よりも硬い構成としてよい。
【００８０】
この骨伝導ヘッドセット４５では、皮膚表面に接する第１層２３がゲル素材で形成され、第１層２３を挟み皮膚表面と反対側の第２層２５がポリカーボネート等のプラスチックで形成される。ゲル素材が皮膚表面に接する構造では、装着の違和感を低減するとともに、皮膚表面に応じた変形により密着性が確保でき、皮膚表面との間に隙間を生じにくくすることができる。また、第１層２３と第２層２５との間にセンサ部１５が設けられ、ゲル素材が皮膚表面に接する構造では、センサ部１５と顔の擦れにより発生する擦過音を抑制できる。
【００８１】
また、骨伝導ヘッドセット４５において、保持部１７は、皮膚に接する側の第１層２３が硬く、第２層２５が第１層２３よりも柔らかい構成としてよい。
【００８２】
この骨伝導ヘッドセット４５では、皮膚表面に接する第１層２３がプラスチックで形成され、第１層２３を挟み皮膚表面と反対側の第２層２５がゲル素材で形成される。プラスチックが皮膚表面に接する構造では、皮膚表面からの振動を、ゲル素材に比べ伝えやすくすることができる。
【００８３】
また、骨伝導ヘッドセット４５では、第２層２５を挟んで第１層２３の反対側に、第２層２５よりも柔らかい第３層５１が積層される構成としてよい。
【００８４】
この骨伝導ヘッドセット４５では、最上層に柔らかいゲル素材等からなる第１層２３が積層されることにより、骨伝導マイク１１が、環境音の振動を拾うことを抑制できる。これにより、骨伝導マイク１１の感度を高め、音声認識率を向上させることができる。
【００８５】
また、骨伝導ヘッドセット４５では、保持部１７は、左右の上外側鼻軟骨を覆う皮膚の少なくとも一部分に接する逆Ｖ字形状となった本体部１９の裾部に、頬骨体部を覆う皮膚の少なくとも一部分に接する頬側延長部２１を連続して有する。
【００８６】
この骨伝導ヘッドセット４５では、上記した骨伝導マイク１１の場合と同様に、保持部１７の本体部１９が鼻を覆い、その裾部が頬正面に沿う頬側延長部２１に連続するので、保持部１７が凹状面３７に密接して沿うことになり、保持部１７と頬正面との間に空隙４１が生じない。その結果、凹状面３７の鼻腔音に伴う振動も保持部１７に伝播し、センサ部１５の感度を向上させることができる。
【００８７】
また、骨伝導ヘッドセット４５では、センサ部１５と骨伝導スピーカ４７との距離Ｌ１が、骨伝導スピーカ４７と外耳道の入口との距離Ｌ２よりも大きい構成としてよい。
【００８８】
また、骨伝導ヘッドセット４５では、保持部１７は、装着者の皮膚に接する側の第１層２３が粘着性を有する。
【００８９】
この骨伝導ヘッドセット４５では、保持部１７の第１層２３は装着者の皮膚に接し、粘着性を有する。これにより、保持部１７が装着者の肌に接する面を粘着性のある素材でコーティングされるので、保持部１７による装着者の皮膚への保持力が一層高まり、装着者は、装着途中の剥がれもしくは抜け落ちを心配することなく安心して骨伝導ヘッドセット４５を使用できる。
【００９０】
この骨伝導ヘッドセット４５では、骨伝導スピーカ４７が骨伝導マイク１１よりも耳小骨や蝸牛に近づき、骨伝導スピーカ４７からの振動が聴覚神経に伝わりやすくなる。同時に、骨伝導スピーカ４７が骨伝導マイク１１から離れ、骨伝導スピーカ４７からの振動が骨伝導マイク１１に伝わりにくくなり、ハウリングの抑制効果がさらに向上する。
【００９１】
以上、添付図面を参照しながら各種の実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した各種の実施の形態における各構成要素を任意に組み合わせてもよい。
【産業上の利用可能性】
【００９２】
本開示は、鼻骨近傍での声帯振動に伴う鼻腔音を効率よく伝播し、音声認識に必要な鼻腔音の感度を向上する骨伝導マイクとして有用である。
【符号の説明】
【００９３】
１１  骨伝導マイク
１３  装着者
１５  センサ部
１７  保持部
１９  本体部
２１  頬側延長部
２３  第１層
２５  第２層
２７  電線部
２９  装着部
３１  支持部
３３  極大値
４５  骨伝導ヘッドセット
４７  骨伝導スピーカ
５１  第３層
【図１】
2020036210.tif 000003
【図２】
2020036210.tif 000004
【図３】
2020036210.tif 000005
【図４】
2020036210.tif 000006
【図５】
2020036210.tif 000007
【図６】
2020036210.tif 000008
【図７】
2020036210.tif 000009
【図８】
2020036210.tif 000010
【図９】
2020036210.tif 000011
【図１０】
2020036210.tif 000012
【図１１】
2020036210.tif 000013
【図１２】
2020036210.tif 000014
【図１３】
2020036210.tif 000015